(57)【要約】本発明の装置は患者支持体（１２，１１２）のフレーム（１８，１１８）上に設置できる構成であり、フレーム（１８，１１８）は患者（１７１）を支持できる形態の上面を有し、前記上面は長手寸法および幅寸法（５４，１７０）を有する。本装置は患者支持体（１２，１１２）のフレーム（１８，１１８）上に位置決めされるオーバレイ（１０，１１０）を含み、オーバレイ（１０，１１０）は患者（１１７）を支持する上面（３６，１３６）、および患者支持体（１２，１１２）の上面に当接する構成の下面を有する。オーバレイ（１０，１１０）は前記上面の幅寸法（５４，１７０）よりも広い幅寸法（５２，１６９）を有する。保持器（７０，１９２）がフレーム（１２，１１２）上で所望位置にオーバレイ（１０，１１０）を維持する。
2004500192.tif 000002
【特許請求の範囲】
【請求項１】
患者支持体のフレーム上に設置される構成の装置であって、前記フレームは患者を支持する形態の上面を有し、前記上面は所定長手寸法および所定幅寸法を有し、前記装置は、
患者支持体のフレーム上に位置決めされるオーバレイ、および
前記オーバレイを前記フレーム上の所望位置に維持する保持器を含み、
前記オーバレイは患者を支持するための上面、および患者支持体の上面に当接する構成の下面を有し、
前記オーバレイは前記上面の幅寸法よりも広い幅寸法を有する、装置。
【請求項２】
前記患者支持体のフレームは前記上面の幅寸法を画定する離隔第一および第二側部を含み、かつ前記フレームの第一および第二側部にそれぞれ連結された第一および第二付属レールを含み、前記保持器は前記第一および第二付属レールにそれぞれ係合して前記フレーム上の所望位置に前記オーバレイを維持する構成の第一および第二部材を含む、請求項１の装置。
【請求項３】
前記オーバレイは前記患者支持体の前記第一および第二付属レール上に設置される第一および第二縁部を含む、請求項２の装置。
【請求項４】
前記オーバレイは複数のパネルを含み、各前記パネルは患者を支持するための上面を有しかつ前記患者支持体の前記上面に当接する構成の下面を有し、前記複数のパネルは前記患者支持体のフレームの長軸に沿って離隔した位置に設けられている、請求項１の装置。
【請求項５】
前記複数のパネルの各々は隣接パネルに連結されている、請求項４の装置。
【請求項６】
前記複数のパネルの各々は少なくとも１つの可撓性ストラップにより隣接パネルに連結されている、請求項４の装置。
【請求項７】
前記複数のパネルの各々は隣接パネルに枢軸回転自在に連結されている、請求項４の装置。
【請求項８】
前記複数のパネルの各々は分離保持器を含む、請求項４の装置。
【請求項９】
更に複数のマットレス部を含み、各前記マットレス部は前記複数のパネルの１つに着脱自在に連結されている、請求項４の装置。
【請求項１０】
前記オーバレイは前記オーバレイの運搬を促進するために折り畳み可能である、請求項１の装置。
【請求項１１】
前記オーバレイ上に連結された少なくとも１つのホイールを更に含む、請求項１０の装置。
【請求項１２】
前記オーバレイに連結されたハンドルを更に含む、請求項１１の装置。
【請求項１３】
前記オーバレイの上面上に位置決めされるマットレスを更に含む、請求項１の装置。
【請求項１４】
前記マットレスは前記オーバレイの幅寸法全体にわたる患者用の連続的支持面を提供する、請求項１の装置。
【請求項１５】
前記オーバレイは第一および第二側縁部、および前記第一および第二側縁部に隣接して設置されかつ前記患者支持体のフレームの両側と係合する構成の複数のスペーサブロックを含む、請求項１の装置。
【請求項１６】
前記患者支持体のフレームは前記上面の幅寸法を画定する離隔第一および第二側部を含み、かつ更に複数のスペーサにより前記フレームの第一および第二側部に連結された第一および第二付属レールを含み、かつ前記保持器は前記オーバレイの第一および第二側部にそれぞれ隣接して前記スペーサブロックに連結された第一および第二インデックスプレートを含み、前記第一および第二インデックスプレートは各々が前記第一および第二付属レールの複数のスペーサの１つの両側にそれぞれ設置された第一および第二離隔アームを含む、請求項１５の装置。
【請求項１７】
前記患者支持体のフレームは相互に対して移動自在の背部、座部、および脚部を含み、かつ前記オーバレイは前記フレームの背部、座部、および脚部上にそれぞれ背パネル、座パネル、および脚パネルを含む、請求項１の装置。
【請求項１８】
前記患者支持体のフレームは相互に対して移動自在の上背部、下背部、および座部を含み、かつ前記オーバレイは前記フレームの上背部、下背部、および座部上にそれぞれ設置される上背パネル、下背パネル、および座パネルを含む、請求項１の装置。
【請求項１９】
前記オーバレイは放射線半透過性材料により形成されている、請求項１の装置。
【請求項２０】
前記オーバレイは複数の分離部を含み、前記オーバレイの分離部の各々は前記患者支持体の上面の幅寸法よりも大きい幅寸法を有する、請求項１の装置。
【請求項２１】
前記複数のオーバレイの分離部は異なる長さを有しかつ前記フレームの長軸に沿って離隔位置に位置する、請求項２０の装置。
【請求項２２】
前記保持器は前記オーバレイに連結された細長い突出部を含み、前記突出部は前記フレーム上で所望位置に前記オーバレイを維持するために前記患者支持体と係合する構成の部を含む、請求項１の装置。
【請求項２３】
前記突出部は前記患者支持体のフレームの一側と係合する構成のスペーサ部を含む、請求項２２の装置。
【請求項２４】
前記患者支持体のフレームは前記上面の幅寸法を画定する離隔第一および第二側部を含み、かつ前記フレームの第一および第二側部にそれぞれ連結された第一および第二付属レールを更に含み、かつ前記保持器は前記フレームに前記オーバレイを連結するために前記第一および第二付属レールの１つと係合する構成のフランジを有する突出部を含む、請求項１の装置。
【請求項２５】
前記オーバレイは複数の離隔部を含み、各前記離隔部は上パネルおよび離隔第一および第二側縁部を有し、前記オーバレイの分離部の各々は前記第一および第二側縁部の各々に連結された付属レールを含み、前記付属レールは隣接するオーバレイ分離部へ各前記オーバレイ分離部を枢軸旋回自在に連結するために隣接するオーバレイ分離部の付属レールへ枢軸旋回自在に連結されている、請求項１の装置。
【請求項２６】
前記フランジ上で所望位置に前記オーバレイを固定するためにラッチを更に含む、請求項１の装置。
【請求項２７】
患者支持体のフレーム上に設置される構成の装置であって、前記フレームは患者を支持する形態の上面、および前記上面の幅寸法を画定する離隔第一および第二側部を有し、前記装置は、
前記患者支持体のフレーム上に位置決めされるマットレス、および
前記患者支持体に連結される支持部を含み、
前記マットレスは患者を支持する上面、下面、および前記フレームの前記上面の幅寸法よりも大きいマットレスの幅寸法を画定する離隔第一および第二側部を有し、
前記支持部は前記フレームの第一および第二側部を越える前記マットレスの第一および第二側部に隣接する前記マットレスの下面の部を支持する、装置。
【請求項２８】
前記支持部は前記患者支持体のフレーム上に位置決めされるオーバレイを含み、前記オーバレイは前記マットレスを支持する上面、および前記患者支持体の上面に当接する構成の下面を有し、前記オーバレイは前記上面よりも大きい幅寸法を有する、請求項２７の装置。
【請求項２９】
前記フレーム上で所望位置に前記オーバレイを維持する保持器を更に含む、請求項２８の装置。
【請求項３０】
前記マットレスを前記オーバレイに連結するためのファスナを更に含む、請求項２８の装置。
【請求項３１】
前記支持部は前記患者支持体のフレームの第一および第二側部に連結される第一および第二側拡張部を含む、請求項２８の装置。
【請求項３２】
前記マットレスは複数のマットレス部を含み、各前記マットレス部は前記フレームの上面の幅寸法よりも大きい幅寸法を有し、かつ各前記マットレス部は前記マットレス部の幅寸法に沿って延在する連続的支持面を有する、請求項２７の装置。
【請求項３３】
患者支持体のフレーム上に設置される構成の装置であって、前記フレームは少なくとも１つのピボット軸を中心に枢軸旋回自在に共に連結された少なくとも２つのフレーム部を有し、前記フレーム部の各々は患者を支持する構成の上面、および前記上面の幅寸法を画定する離隔第一および第二側部を有し、前記装置は、
共に連結された少なくとも２つの分離部を含む幅拡張器、および
前記フレーム上で所望位置に前記幅拡張器を維持する保持器を含み、
前記幅拡張器は、前記幅拡張器が前記少なくとも２つのフレーム部と共に枢軸旋回するように前記フレームの少なくとも１つのピボット軸を横切って延び、前記幅拡張器は前記フレームと共働して、前記上面の幅寸法よりも大きい全幅寸法を有する患者用支持面を提供する、装置。
【請求項３４】
前記幅拡張器は前記患者支持体のフレーム上に位置決めされるオーバレイを含み、前記オーバレイは患者を支持するための上面、および前記患者支持体の上面に当接する構成の下面を有し、前記オーバレイは前記上面の幅寸法よりも大きい幅寸法を有する、請求項３３の装置。
【請求項３５】
前記幅拡張器は前記患者支持体のフレームの前記第一および第二側部の１つに連結された側拡張部を含む、請求項３３の装置。
【請求項３６】
前記幅拡張器は前記患者支持体のフレームの第一および第二側部にそれぞれ連結される第一および第二側拡張部を含む、請求項３３の装置。
【請求項３７】
前記幅拡張部の隣接部は少なくとも１つの可撓性ストラップにより共に連結されている、請求項３３の装置。
【請求項３８】
前記幅拡張器の各部は前記フレーム部のピボット軸に整列するピボット軸を中心に隣接部に枢軸旋回自在に連結されている、請求項３３の装置。
【請求項３９】
前記幅拡張器の部は各々付属レールを含み、前記付属レールは隣接する幅拡張器の部に各幅拡張部を枢軸回転自在に連結するために隣接する幅拡張部の付属レールに枢軸旋回自在に連結されている、請求項３３の装置。
【請求項４０】
前記フレームの上面上に延在する第一部、および前記幅拡張部上に延在する第二部を有するマットレスを更に含み、前記マットレスは前記フレームの上面の全幅および前記幅拡張部にわたって横たわった患者に連続的支持面を提供する、請求項３３の装置。
【発明の詳細な説明】
【０００１】
発明の背景および概要
本発明は手術室台または外科台の付属品に関する。特に、本発明は肥満患者を支持する広い幅を有する支持面を提供するための手術室台の患者支持面に連結される構成の肥満学面に関する。
【０００２】
手術室台は外科処置時に患者を支持するためにヘルスケア産業に周知である。近年、手術室台は、手術室台の頭部、胴部、脚部の動力関節運動、高さ調節、傾斜調整等種々の特徴および選択を付加することにより医師および看護婦により一層有用かつ便利なように形成されている。
【０００３】
標準的手術室台は約２０−２２インチ（約５０．８−５５．９ｃｍ）幅の患者支持面を含む。これらの従来患者支持面は平均的患者を首尾よく収容する。しかし、肥満患者が増大している。これらの肥満患者は平均的サイズの患者よりも相当に幅広く、このことはかかる肥満患者用に標準的手術室台を使用することを困難にする。
【０００４】
手術室台は典型的には約６００ポンド（約２７２．２ｋｇ）の最高患者重量を支持できる。本発明は、手術室台の患者支持面の標準幅よりも幅広い身体を有する肥満患者または他のいずれかの患者に対して外科処置の執行を必要とする場合に、手術室台の患者支持面に連結できる構成の肥満学面に関する。本発明の肥満学面は、肥満または幅広い患者を収容するために標準手術室台の幅よりも広い幅を有するマットレス面を提供する。例示として、肥満学面の幅は約２８−３０インチ（約７１．２−７６．２ｃｍ）である。マットレス面は、肥満患者とマットレス面間の界面圧力を減少するためにフォーム、エアパッド、またはエアブラダ、ゲルパッド、温度調節、または他の支持構造体を含む。
【０００５】
本発明の肥満学面は、例示として、手術室台の関節運動部に連結できる構成の複数の放射線半透過性パネル部を含む。例えば、一実施形態において、肥満学面のパネル部は、脚支持体、座支持体、および背支持体のそれぞれ上で手術室台に連結できる構成の脚部、座部、および背部を含む。例示として、マットレスは肥満学面の脚部、座部および背部上に設置される。マットレスは例示として清掃用に支持パネル部から取り外し自在である。他の実施形態において、肥満学面は患者支持体の同様寸法フレーム部上に設けられた上背部、下背部および座部を含む。
【０００６】
一実施形態において、肥満学面のパネル部は、パネル部の貯蔵およびパネル部相互に対する移動を可能にするために、例示として可撓性ストラップにより共に連結される。他の実施形態において、パネル部は固定ピボット軸のまわりに共に連結されている。一体的付属レールが肥満学面の各パネル部の両側に設置される。これは、肥満学面の付属レール上への外科処置に必要付属品の設置を可能にする。
【０００７】
本発明の肥満学面は、患者の特定要求に応じて手術室台へ容易設置かつそこから容易除去される。肥満学面は、かかる除去および貯蔵を促進するために、例示として軽量、高強力材料で構成される。従って、本発明の肥満学面は、分離の特別手術室台を購入することなく、従来手術室台を肥満患者を取り扱うことのできる手術室台へ変換することができる。
【０００８】
本発明の一実施形態において、本発明による装置は患者支持体のフレーム上に設置できる構成であり、前記フレームは患者を支持できる構成であり、その上面は長手寸法（ｄｉｍｅｎｓｉｏｎ）および幅寸法（ｄｉｍｅｎｓｉｏｎ）を有する。本装置は患者支持体のフレーム上に位置決めされるオーバレイを含む。オーバレイは患者を支持するための上面、および患者支持体の上面に当接する構成の下面を有する。オーバレイはその上面の幅寸法よりも大きい幅寸法を有する。本装置は同様にフレーム上で所望位置にオーバレイを維持する保持器を含む。
【０００９】
図示形態において、患者支持体のフレームは上面の幅寸法を形成する離隔した第一側および第二側を含み、かつ第一および第二付属レールがそれぞれフレームの第一側および第二側に連結される。保持器は、フレーム上の所望位置にオーバレイを維持するために、それぞれ第一および第二付属レールに係合する構成の第一および第二部材を含む。オーバレイは例示として患者支持体の第一および第二付属レール上に位置する第一および第二縁部を含む。第三および第四付属レールがそれぞれオーバレイの第一および第二縁部へ連結される。
【００１０】
同様に、図示例において、オーバレイは複数のパネルを含む。各パネルは患者を支持する上面および患者支持体の上面に当接する構成の下面を有する。複数のパネルは患者支持体のフレームの長軸に沿って離隔位置に位置決めされる。複数のパネルの各々は隣接パネルに連結されている。
【００１１】
同様に、本発明の実施形態において、本装置は患者支持体のフレーム上に設置できる構成であり、フレームは患者を支持できる構成の上面、ならびに上面の幅寸法を形成する離隔第一および第二側を有する。本装置は患者支持体のフレーム上に位置決めされるマットレスを含む。マットレスは患者を支持する上面、下面、およびフレームの上面の幅寸法よりも大きいマットレスの幅寸法を形成する離隔第一および第二側を有する。マットレスはマットレスの幅寸法に沿って延在連続的支持面を有する。本装置は同様に、フレームの第一および第二側から突出するマットレスの第一および第二側に隣接してマットレスの下面の部を支持するために患者支持体に連結される支持部を含む。
【００１２】
一実施形態において、マットレスは一片のマットレス部である。他の実施形態において、マットレスは複数のマットレス部を含む。各マットレス部は、フレームの上面の幅寸法よりも大きい幅寸法を有し、かつ各マットレス部はマットレス部の幅寸法に沿って延びた連続的支持面を有する。
【００１３】
本発明は、更に、患者支持体のフレーム上に設置される構成の装置を提供する。前記フレームは少なくとも１つのピボット軸を中心に共に枢軸旋回自在に連結された少なくとも２つのフレーム部を有し、フレーム部の各々は、患者を支持できる構成の上面、ならびに前記上面の幅寸法を形成する離隔第一および第二側を含む。この装置は、共に連結された少なくとも２つの分離部を含む幅拡張器を含み、前記幅拡張器は、少なくとも２つのフレーム部と共に枢軸旋回するようにフレームの少なくとも１つのピボット軸を横切って延在する。幅拡張器は、上面の幅寸法よりも全体が大きい幅寸法を有する患者用支持面を提供するためにフレームと共働する。この装置は更にフレーム上で所望位置に幅拡張器を維持するための保持器を含む。
【００１４】
本発明の付加的特徴は、現在考えられている発明を実施する最良形態を例示する実施形態に関する続く詳細な説明を考慮することにより当業者に明らかになるであろう。
【００１５】
図面の詳細な説明
次に、図面を参照すると、本発明は従来手術室台１２に連結できる形態のオーバレイまたは肥満学面（ｂａｒｉａｔｒｉｃ ｓｕｒｆａｃｅ）１０に関する。手術室台１２はベース１４およびベース１４に連結された支脚１６を含む。上患者支持フレーム１８は支脚１６に連結されている。上患者支持フレーム１８は頭部１９、背部２０、座部２２、および脚部２４を含む。支脚１６は、上患者支持フレーム１８を二重矢印の方向において上下方向へ移動させて上患者支持フレーム１８を地面に対して上昇下降させるために、格納式支脚１６を調節するためのハイ／ロウ機構（図示せず）を含む。
【００１６】
手術室台１０の詳細は、例えば米国特許出願第０９／１８７９９０号および米国特許第６０７３２８４号に開示されており、ここに参考に組み込まれる。その患者支持面１８をトレンデレンブルグ位置と逆トレンデレンブルグ位置間で移動可能にするために、シリンダ、ギア、または他の機構等のドライバ（図示せず）が使用されて、上患者支持フレーム１８の横ピボット軸を中心とする軸旋回動力運動を可能にする。更に、外科処置時に患者支持フレーム１８を所望位置へ関節運動させるために、頭フレーム部１９、背フレーム部２０、座フレーム部２２、および脚フレーム部２４は横切る方向に離隔する軸を中心に旋回自在である。フレーム部２０、２２および２４上の上パネル部２３は手術室台１２に患者支持面を提供する。
【００１７】
図１および３に示されたように、上患者支持フレーム１８のフレーム部２０、２２および２４の両側に付属レール２８が設置されている。付属レール２８は外科処置時に手術室台１２に種々付属品を取付けるために使用される。
【００１８】
標準的手術室台は図３に示された幅５４が平均的サイズの患者を処置するために適合する約２０−２２インチ（約５０．８−５５．９ｃｍ）である。しかし、多くの患者は過度に肥満である。従って、幅の広い肥満患者を収容する必要がる場合には更に幅広い患者支持面にすることが望ましい。肥満学支持面１０はそのように拡がった肥満患者を収容するために手術室台１２の患者支持フレーム１８に連結できる形態である。肥満学支持面１０は背部３０、座部３２、および脚部３４を含む。肥満学面１０の背部３０、座部３２、および脚部３４は、それぞれ、患者支持フレーム１８の背フレーム部２０、座フレーム部２２、および脚フレーム部２４に連結できる構成である。
【００１９】
図１および２に示されたように、肥満学面１０の背部３０、座部３２、および脚部３４は、下方に延びた側縁部３８および４０を両側に有する概ね平坦な上パネル３６を含む。一対の可撓性ストラップ４２は背パネル３０を座パネル３２に連結する。一対の可撓性ストラップ４４は座パネル３２を脚パネル部３４へ連結する。背パネル部３０、座パネル部３２、および脚パネル部３４の各々は図２および３に示されたように、下方に延びた側縁部３８および４０に連結された一体的付属レール４６を含む。上パネル３６の各々は具体的にベロクロ（登録商標）ファスナ細片であるファスナ部４８を含む。ファスナ部４８は図３および４に示されたように、肥満学面１０の上パネルにマットレス５０を固定する構成である。マットレス５０は、マットレス５０の下面上に設置されたベルクロ（登録商標）ファスナ細片等の係合するファスナを含む。ストラップ、タイ、スナップ、クリップ、膠、または他の接着剤等の他のファスナ機構が、本発明に従ってマットレス５０を上パネル３６へ連結するために使用できる。
【００２０】
肥満学面１０の背部３０、座部３２および脚部３４が患者支持フレーム１８のそれぞれ対応する部へ連結されると、外科台１２は通常のように患者支持部２０、２２および２４を関節運動させるために制御できる。換言すれば、肥満学面の背部３０、座部３２および脚部３４は、肥満学面１０が外科処置の執行のために所望される位置へ移動するように、患者支持フレーム１８の対応部２０、２２および２４との運動を可能にする。背部３０および座部３２は可撓性ストラップにより連結され、かつ座部３２および脚部３４は可撓性ストラップ４４により連結されるので、肥満学面の背部３０、座部３２および脚部３４は、肥満学面１０が取付けられたときに支持フレーム１８の移動を可能にするために患者支持フレーム１８の患者支持部２０、２２および２４のピボット軸と一致する場所で整列するピボット軸を中心に共に連結される必要はない。
【００２１】
パネル３６は、具体的には、標準的画像処理が肥満学面１０上に位置する患者上に使用できるように放射線半透過性材料から形成される。図３に示されたように、肥満学面１０は標準的手術室台１２の幅５４よりも広い幅５２を有する患者支持面を提供する。具体例として、幅５４は約２０−２２インチ（約５０．８−５５．９ｃｍ）であり、他方、幅５２は約２８−３０インチ（約７１．１−７６．２ｃｍ）またはそれ以上である。
【００２２】
肥満学面１０と患者支持フレーム１８間の連結の詳細は図４−６に最良に示されている。図４において、座フレーム部２２の上パネル部２３は放射線半透過性材料により形成される。付属レール２８は離隔スペーサ５６によりフレーム部２２に連結される。
【００２３】
肥満学面１０は手術室台１２の両側で付属レール２８へ連結できる構成である。図４および６に示されたように、複数のスペーサブロック５８が肥満学面１０の背部３０、座３２および脚部３４の各々の側壁３８および４０に隣接設置される。スペーサブロック５８は具体例としてスペーサブロック５８内に形成された中央孔６２を通るファスナ６０により側壁３８および４０へ固定される。ファスナ６０は同様に側壁３８および４０を通る。例示として、ファスナ６０は外付属レール４６へ連結されるスペーサ６６内のねじ切り部へ結合できる構成であるねじ切り端部６４を含む。換言すれば、付属レール６０はスペーサブロック５８および付属レール４６を肥満学面１０のパネル部３０、３２および３４の各々へ固定する。
【００２４】
図４に示されたように、スペーサブロック５８の孔６２は凹部を含み、ファスナ６０の頭部がスペーサブロック５８の内壁６８の下で反対側へ沈むようになっている。従って、そこへ結合されたインデックスプレート７０（後述する）を備えない各スペーサブロック５８の内壁６８は手術室台１２の付属レール２８に当接する構成である。肥満学面１０の上パネル３６は、図３および４に示されたように、患者支持フレーム１８の上パネル２３上に延びて当接する構成である。パネル３６および２３が相互に対して当接するので、肥満学面１０は肥満患者の付加的支持のために厚いパネル厚を提供する。従って、肥満学面１０は上述のごとく、手術室台１２の上患者支持面の幅へ延びる。
【００２５】
肥満学面１０の背部３０、座部３２および脚部３４の各々は具体例として各部３０、３２および３４の両側に１つまたはそれ以上のスペーサブロック５８に連結されたインデックスプレート７０を含む。インデックスプレート７０は図５に最良に示されている。各インデックスプレート７０は図４および６に示されたように、スペーサブロック５８の内面６８に当接する構成の外壁７２を含む。外壁７２はネジ７６等のファスナもしくは締結具を受ける構成の一対の孔７４を含む。ネジ７６はインデックスプレート７０を分離のスペーサブロック５８に固定するために使用される。インデックスプレート７０は更に上壁７８、および下方へ伸びた内壁８０を含む。内壁８０はＵ形部８２ならびに第一および第二アーム８４および８６を含む。Ｕ形部８２は手術室台１２の付属レール２８に連結される円筒スペーサ５６上にフィットする形態である。アーム８４および８６は、スペーサブロック５８からインデックスプレート７０を除去またはスペーサブロック５８をインデックスプレート７０へ設置するためにオペレータが道具を用いて締結具７６へアクセスできるように、それぞれ孔８８および９０を含む。
【００２６】
設置時に、背部３０、座部３２および脚部３４の各々の両側のインデックスプレート７０は患者支持フレーム１８に連結されたスペーサシリンダ５６上に延びる。アーム８４および８６は、手術室台１２の背部２０、座部２２および脚部２４の関節運動時に、図５に例示されたようにスペーサ５６の両側上に延びて、背部３０、座部３２および脚部３４の患者支持面に対する長手方向移動を阻止する。換言すれば、インデックスプレート７０は、図１に矢印９２により示されたように、患者支持フレーム１８に対して長軸に沿った肥満学面１０の背部３０、座部３２および脚部３４の運動を阻止する。
【００２７】
パネル３６、付属レール４６、スペーサブロック５８およびインデックスプレート７０は分離片として図示されているが、１つまたはそれ以上の構成要素が他の構成要素と一体的に形成できる。更に、他のファスナもしくは締結技術、即ちボルト、クランプ、接着剤、溶接等が構成要素を固定するために使用できる。
【００２８】
肥満学面１０は容易設置のために軽量である。肥満学面１０は図１に矢印９４で示されたように、患者支持フレーム１８へ下降する。そこで、インデックスプレート７０が上述のごとくスペーサシリンダ５６上に位置決めされる。残余スペーサブロック５８の内面６８は、図３および４に示されたように、外科台１２の両側付属レール２８と係合してパネル部３０、３２、３４の上パネル３６に支持を提供する。肥満学面１０は手術室台１２の肥満学面１０を上昇することにより手術室台１２から取り外される。所望により、付加的ラッチ（図示せず）が手術室台１２へ肥満学面１０を固定するために使用される。手術室台１２から一旦取り外されると、肥満学面１０は容易保管または運搬のために折り畳まれてよい。ストラップ４２および４４により同様に所望により肥満学面１０を壁上へ吊るすことができる。マットレス５０は取り外し自在であって肥満学面１０およびマットレス５０の清掃を可能にする。
【００２９】
本発明の他の実施形態が図７−１４に示されている。図７は、ベース１１４、およびベース１１４に連結された支脚１１６を含む手術室台１１２の他の形態を示す。上患者支持フレーム１１８は支脚１１６に連結されている。上患者支持フレーム１１８は頭部１１９、上背部１２０、下背部１２１、座部１２２、および脚部１２４を含む。手術室台１１０の詳細は、例えば、Ｒｉｃｈａｒｄ  Ｌ．Ｂｏｒｄｅｒｓ，  Ｍａｒｋ  Ｇｒａｈａｍ，  Ｄａｖｉｄ  Ｃ．Ｎｅｗｋｉｒｋにより２００１年１月２５日に出願された「Ｓｕｒｇｉｃａｌ Ｔａｂｌｅ Ａｐｐａｒａｔｕｓ」 （代理人整理番号８２２６−０１２６）に係る米国特許出願番号第６０／．．．号に開示されており、この内容は特にここに参考に組み入れられる。理解されるように、他のタイプの手術室台１２が本発明の肥満学面に使用できる。
【００３０】
付属レール１２８は、図７に示されたように、離隔スペーサ１２９により患者支持フレーム１１８のフレーム部１２０、１２２、１２４の両側に取付けられる。付属レール１２８は外科処置時に手術室台１１２へ種々の付属品を設置するために使用される。
【００３１】
図８−１０は図７の手術室台１１２上に使用するために本発明のオーバレイまたは肥満学面１１０の他の実施形態を示す。図１１に最良に示されたように、肥満学面１１０は上背部１３０、下背部１３２、および座部１３４を含む。肥満学面１１０の上背部１３０、下背部１３２、および座部１３４は、それぞれ患者支持フレーム１１８の上背フレーム部１２０、下背フレーム部１２１、および座フレーム部１２２に連結できる構成である。
【００３２】
図１１および１２の実施形態において、肥満学面１１０の上背部１３０、下背部１３２、および座部１３４は、両側で下方に延びた側縁部１３８および１４０を有する概ね平坦な上パネル１３６を含む。側縁部１３８および１４０は、それぞれ、肥満学面１０の上背部１３０、下背部１３２、および座部１３４へ付属レール１４２、１４４および１４６を固定するファスナを受けるように構成された孔１３９を含む。実施例として、ファスナ（図示せず）は付属レール１４２、１４４および１４６のスペーサ１４９へ連結される。
【００３３】
図１１および１２に最良に示されたように、付属レール１４２および１４６の端部１４３および１４５は、それぞれ、中心付属レール１４４の両端部を覆う。付属レール１４２および１４６の端部１４３および１４５はそれぞれ孔１４７および１４８を含み、これらの孔はそれぞれ中心付属レール１４４内に形成された孔１５０および１５２と整列する。ピン、リベット等の締結具は孔１４７および１５０を通りかつ孔１４８および１５２を通ってピボット軸１５４および１５６を中心に枢軸旋回自在に共に肥満学面１０の隣接部１３０、１３２および１３４を連結する。図示形態において、ピボット軸１５４および１５６は、手術室台１１２の隣接フレーム部１２０、１２１および１２２間で、それぞれピボット軸１５５および１５７と整列する。
【００３４】
上パネル１３６の各々は実施例としてベルクロ（登録商標）ファスナ細片であるファスナ１５８を含む。図８に示されたように、分離マットレス部１６０、１６２および１６４は肥満学面１１０の上背部１３０、下背部１３２、および座部１３４上に位置決めできる構成である。理解されるように、単一マットレスが所望により使用できる。図示形態において、マットレス部１６０、１６２および１６４は、中央支持部１６６および中央支持部１６６の両側に位置する上方へ傾斜した側部１６８を含む。マットレス部１６０、１６２および１６４は肥満学面１１０から別々に取り外し可能である。実施例として、マットレス部１６０、１６２および１６４は下面上にベルクロ（登録商標）ファスナ細片等の対応するファスナを含む。上述したように、他のファスナ機構がマットレス部１６０、１６２および１６４を肥満学面１１０の上背部１３０、下背部１３２および座部１３４へそれぞれ連結するために使用できる。マットレス部１６０、１６２および１６４は手術室台１１２の頭フレーム部１１９および脚フレーム部１２４上にそれぞれ設けられたマットレス部１６１および１６３と実質的に同一高さを有する。このように、手術室台マットレスの本体部（図示せず）のみが肥満学面１１０を取付ける前に取り除かれる。図１２はマットレス部１６１および１６３を除去した手術室台１１２上の肥満学面１１０を示す。
【００３５】
理解されるように、分離マットレス部１６０、１６２および１６４の代わりに、所望により、単一片マットレスが使用できる。単一片マットレスまたは複数マットレス部は上患者支持フレーム１１８の幅寸法（ｄｉｍｅｎｓｉｏｎ）よりも広い幅寸法にわたって連続的支持面を提供する。従って、単一片マットレスまたは複数マットレス部は、隣接マットレス組立体またはパッド部間でギャップまたは高さの違いを伴うことなく広い幅寸法全体にわたって患者に連続支持を提供する。
【００３６】
図９は、幅寸法１７０により示された手術室台支持フレーム１１８の標準的幅寸法と比較して肥満学面１１０の増大した幅寸法を示す。図７−１４の実施形態において、手術室台１１２の頭フレーム部１１９および脚フレーム部１２４は更に幅広い肥満学面１１０に使用される。理解されるように、肥満学面１１０は所望により頭部および脚部を含む。
【００３７】
図１０は、腎臓上昇位置へ移動したときの手術室台１１２の上患者支持フレーム１１８の形態を示す。肥満学面１１０は、腎臓上昇位置における肥満患者１７１を支持するために、同様に手術室台１１２の患者支持フレーム１１８により腎臓上昇形態へ移動できる。当然ながら、上患者支持フレーム１１８および肥満学面１１０の他の位置が所望により達成可能である。
【００３８】
肥満学面１１０の座部１３４の側縁部１３８は図１１に示されたように、取付孔１７２を含むように形成される。中央孔１７６を含むホイール１７４は付属レール１４６から反対側で座部１３４の側縁部１３８へ取付けられる。実施例として、適宜ファスナがホイール１７４を肥満学面１１０へ連結するために孔１７６および１７２へ設置されている。理解されるように、他のタイプのホイールが肥満学面１１０へ取付けられてよい。
【００３９】
図１３は運搬形態の肥満学面１１０を示す。下背マットレス部１６２は、肥満学面１１０が図１３に示されたように折り畳むために、取り外し可能である。下背マットレス部１６２は、そこで、図１３に示されたように位置決めされ、かつ全肥満学面１１０がホイール１７４上に担持される。ストラップ、タイ、スリーブ等の適宜連結器（図示せず）が下背マットレス部１６２を適所に保持するために使用される。選択的に、マットレス部１６２はマットレス部１６０へ連結され、かつ運搬のために部１６０と１６２は所定位置で逆にされてよい。部１６２は下に折れた部１６０へ入れ子式にされることができる。図１３に示されたように、ホイール１７４は側縁部１３８および１４０の内側に取付けられる。ハンドル１７８が実施例として運搬を促進するために肥満学面１１０の上背部１３０へ形成または連結されている。
【００４０】
図１４は本発明の他の実施形態を示し、ここではホイール１７４は図１３と比較して反対配向に配置されている。図１４の形態において、ホイール１７４は図示例として下背部１３２へ連結されている。ストラップ１７５が折り畳み位置において肥満学面１１０へ固定するために使用される。折り曲げたハンドル１７７は同様に運搬を促進するために使用される。
【００４１】
一実施形態において、肥満学面１１０は上述のごとくスペーサブロック５８およびインデックスプレート７０を使用して手術室台１１２の付属レール１２８へ固定される。他の実施形態において、上背部１３０、下背部１３２および座部１３４は一体的スペーサブロックと、患者支持フレーム１１８上の所定位置に肥満学面１１０を維持するために手術室台１１２の付属レール１２８と係合する連結器を含むように形成される。
【００４２】
本発明の更に他の実施形態は図１５に示されている。この実施形態において、肥満学面１１０上背部１３０、下背部１３２および座部１３４の側縁部は、概ね矩形のスペーサ部１８２および１８４を有するアルミニウム突出部１８０により形成される。側縁部１８４はスペーサ部１８２の上面１８６上へ突出してリップ部１８８を形成する。肥満学面１１０の上パネル１３６は突出部１８０の上面上１８６上に当接する。パネル１３６は図示例として適宜ファスナ１９０により突起１８０へ締結される。突出部１８０の下方へ延びたフランジ１９２は、その間にスペーサ１９４を形成するためにスペーサ部１８２から離隔している。スペーサ１９４は手術室台１１２の付属レール１２８を受けることのできる寸法である。例示として、フランジ１９２は、フレーム１１８が関節運動するときに肥満学面１１０が上患者支持フレーム１１８に対して長手方向へ移動するのを阻止するために上述したインデックスプレート７０に同様方法で付属レール１２８上に位置決めされた上スペーサ１２９に形成された複数の切欠きを含むように形成される。スペーサ１９６は側縁部１８４へ連結される。例示として、スペーサ１９６は側縁部１８４内に形成されたタップ孔へ螺合される。付属レール（図示せず）はそこで適宜ファスナによりスペーサ１９６へ連結される。
【００４３】
本発明の他の実施形態は図１６−１８に示されている。この実施形態において、側拡張部２１０は手術室台１１２の患者支持フレーム１１８の両側へ連結できる構成である。側拡張部２１０は各々上背部２１２、下背部２１４、および座部２１６を含み、これらはそれぞれ付属レール２１８、２２０および２２２を含む。図１７に最良に示されたように、側拡張部２１０の種々の部は例示として内側壁２３０、上壁２３２、外壁２３４および下壁２３６を含む中央本体部２２８を有する突出部材２２６から形成される。同様に、図１７に示されたように、突出部材２２６は手術室台１１２上の付属レール１２８上に係止する形態の内フランジ２３８を含む。フランジ１２８は、手術室台１１２の上患者支持フレーム１１６に対する拡張部１１０の長手方向移動を阻止するために、付属レール１２８のスペーサ１２９上に設置できる形態の少なくとも１つの切欠き部を含む。
【００４４】
隣接部２１２、２１４および２１６は肥満学面１１０について上述したように共に連結される。換言すれば、付属レール２１８および２２２は手術室台１１２の上患者支持フレーム１１６のそれぞれの軸１５５および１５７と整列するピボット軸２４０および２４２を中心に軸旋回自在に中央付属レール２１４の両側に連結される。従って、側拡張部２１０は、上患者支持フレーム１１６が関節運動するときに上患者支持フレーム１１６と共に軸旋回する。
【００４５】
支持パッド２４４、２４６および２４８は、側拡張部２１０の上背部２１８、下背部２１４、および座部２１６上にそれぞれ設置される。上述したように、パッド２４４、２４６および２４８は適宜ファスナにより部２１２、２１４および２１６の上面２２６に連結される。
【００４６】
側拡張部２１０は手術室台１１２の付属レール１２８上に吊るされかつ例示として患者の膝から肩にわたる領域を被覆する。理解されるように、手術室台１１２の異なる部を覆う拡張部が同様に提供されてよい。ラッチ（図示せず）は、側拡張部２１０を手術室台１１２へ固定するために使用されてよい。側拡張部２１０が取り除かれるときに、中心パッド２４６が第一に除去され、かつ上背部２１２は図１６に矢印２５０で示されたように、上方へ軸旋回する。図１８に示されたように、ハンドル２５２は側拡張部２１０の運搬を促進するために下背部２１４の下に設けられる。例示として、除去された中心パッド２４６は図１６に点線で示されかつ図１８に実線で示されたように、パッド２４８へ連結される。
【００４７】
他の実施形態において、側拡張部２１０はワンピースマットレスまたは複数のマットレス部を支持するために使用され、上患者支持フレーム１１８の幅寸法よりも大きい幅寸法にわたる連続支持面を提供する。側拡張部２１０は患者支持フレーム１１８の側を越えて突出するマットレスの部に対する支持を提供する。従って、ワンピースマットレスまたは複数マットレス部は隣接マットレスまたはパッド部間にギャップまたは高さの違いを生じることなく全体として大きな幅寸法にわたって患者に連続的支持を提供する。
【００４８】
肥満学面１０、１１０および２１０の各部は、異なるフレーム部長、幅および形態を有する手術室台１２および１１２の支持フレーム１８および１１８に適合する所望長、幅または形態であってよいことは理解されるべきである。
【００４９】
本発明は特定図示形態を参照して詳細に説明されているが、特許請求の範囲に記載されたように本発明の範囲および精神に照らして変更が可能である。
【図面の簡単な説明】
【図１】
ベース、支脚、支脚に連結された患者支持面、および手術室台の患者支持面から離隔した本発明の肥満学面を含む手術室台の斜視図であって患者支持面への肥満学面の設置を示す。
【図２】
本発明の肥満学面の斜視図である。
【図３】
手術室台の患者支持面上に設置された本発明の肥満学面を示す断面図である。
【図４】
手術室台上で付属レールに対する本発明による肥満学面の連結の詳細を示す拡大図である。
【図５】
患者支持面が外科処置時に異なる位置へ移動するときに手術台の患者支持面に対して長手方向へ移動するのを防止するように構成された本発明のインデックスプレートの斜視図である。
【図６】
本発明による肥満学面の底の拡大斜視図である。
【図７】
本発明の肥満学面の第二形態を使用する手術室台の他のタイプの斜視図である。
【図８】
図７の手術室台上に設置された本発明の肥満学面の第二形態の斜視図である。
【図９】
肥満学面上に置かれ患者を図式的で示す図８の肥満学面の上面図である。
【図１０】
手術室台が腎臓上昇位置のときの本発明による肥満学面を示す図８および９の肥満学面の側立面図である。
【図１１】
図８−１０の肥満学面の一部の分解斜視図である。
【図１２】
図７の手術室台上に設置された図８−１１の肥満学面の側立面図である。
【図１３】
折り畳んだ運搬形態の本発明による肥満学面の第二形態の斜視図である。
【図１４】
運搬形態の他のホイールおよびハンドル形態を有する本発明による肥満学面の第三形態の斜視図である。
【図１５】
本発明による肥満学面の他の形態の支持パネルおよび突出部を示す部分斜視図である。
【図１６】
本発明の他の形態による第一および第二側拡張部の斜視図である。
【図１７】
図１６の側拡張部の１つを通る断面図である。
【図１８】
折り畳んだ運搬形態の図１６の第一および第二側拡張部を示す斜視図である。
【図３】
2004500192.tif 000003
【国際公開パンフレット】
2004500192.tif 000004
2004500192.tif 000005
2004500192.tif 000006
2004500192.tif 000007
2004500192.tif 000008
2004500192.tif 000009
2004500192.tif 000010
2004500192.tif 000011
2004500192.tif 000012
2004500192.tif 000013
2004500192.tif 000014
2004500192.tif 000015
2004500192.tif 000016
2004500192.tif 000017
2004500192.tif 000018
2004500192.tif 000019
2004500192.tif 000020
2004500192.tif 000021
2004500192.tif 000022
2004500192.tif 000023
2004500192.tif 000024
2004500192.tif 000025
2004500192.tif 000026
2004500192.tif 000027
2004500192.tif 000028
2004500192.tif 000029
2004500192.tif 000030
2004500192.tif 000031
2004500192.tif 000032
2004500192.tif 000033
【国際調査報告】
2004500192.tif 000034
2004500192.tif 000035
2004500192.tif 000036